(57)【特許請求の範囲】
【請求項１】
開口（１４）を有する筐体（１２）と、
前記開口を通って前記筐体の中に少なくとも部分的に挿入されるように設計された試験体（１６、３１６、４１６）であって、香水で含浸され得る材料から少なくとも部分的に作製された、試験体（１６、３１６、４１６）と、
前記筐体の内側に配置され、かつ前記試験体が前記筐体の中に挿入されたときに香水を前記試験体の上に供給するように設計されている、香水供給デバイス（１８、１１８、２１８、５１８）と、
を備える、香水を試験するためのシステム（１０）において、
前記香水供給デバイスが、前記試験体が前記筐体の中に挿入されたときに接触するように前記試験体が設計されている、少なくとも１つの香水含浸体（２６、１２６、２２６、５２６）を備え、前記香水含浸体が、香水が込められ、かつ前記香水含浸体が前記試験体と接触したときに、前記試験体に前記香水を含浸させるように設計されていることを特徴とする、システム（１０）。
【請求項２】
前記香水で含浸され得る材料が、セラミック、ポレックス（登録商標）、セルロース、および石膏から選択された多孔性材料である、請求項１に記載のシステム（１０）。
【請求項３】
前記試験体（３１６）が、長手方向軸（Ｘ）に沿って延在する把持部分（３４０）と、前記把持部分の軸方向延長部分に配置され、かつ前記把持部分から径方向に突出する端部部分（３４２）と、を備える、請求項１または２に記載のシステム（１０）。
【請求項４】
前記試験体（４１６）が、長手方向軸（Ｘ）に沿って延在する把持部分（４４０）と、前記把持部分の軸方向延長部分に配置された端部部分（４４２）と、を備え、前記端部部分が、前記香水で含浸され得る材料から作製され、かつ前記把持部分が、香水に対して不透過性である材料から作製されている、請求項１または２に記載のシステム（１０）。
【請求項５】
前記香水供給デバイス（１８）が、固体の付香要素（２６）の形態の複数の香水含浸体を備える、請求項１から４のいずれか一項に記載のシステム（１０）。
【請求項６】
前記付香要素（２６）が、細粒、チップ、ビーズ、またはカプセルの形態である、請求項５に記載のシステム（１０）。
【請求項７】
前記付香要素（２６）が、プラスチック、ミネラル塩、ワックス、石鹸、またはゲルから作製された、請求項５または６に記載のシステム（１０）。
【請求項８】
前記香水供給デバイス（１８）が、前記付香要素（２６）を含む香水チャージャ（２４）を備える、請求項５から７のいずれか一項に記載のシステム（１０）。
【請求項９】
前記香水供給デバイス（１１８）が、液体の形態の香水を含むように設計され、かつ前記香水含浸体（１２６）によって封止される穴（１３６）が設けられた、香水チャージャ（１２４）を備え、前記香水含浸体が、自由回転するように前記香水チャージャに取り付けられている、請求項１から４のいずれか一項に記載のシステム（１０）。
【請求項１０】
前記香水供給デバイス（２１８）が、液体の形態の香水を含むように設計された香水チャージャ（２２４）を備え、前記香水含浸体（２２６）が、前記香水チャージャに固定的に取り付けられ、かつ香水で含浸されるように設計された、請求項１から４のいずれか一項に記載のシステム（１０）。
【請求項１１】
前記香水供給デバイス（５１８）が、液体の形態の香水を含むように設計された香水チャージャ（５２４）と、自由回転するように前記香水チャージャに取り付けられ、かつ香水で含浸されるように設計された２つの香水含浸体（５２６）と、を備える、請求項１から４のいずれか一項に記載のシステム（１０）。
【請求項１２】
前記香水含浸体（２２６、５２６）が、発泡体、ポレックス（登録商標）、セルロース、またはセラミックから作製された、請求項１０または１１に記載のシステム（１０）。
【請求項１３】
前記香水チャージャ（２２４、５２４）と前記香水含浸体（２２６、５２６）との間に配置された芯（２３８、５３８）をさらに備え、前記芯が、香水を吸い込み、かつ前記香水含浸体に香水を含浸させるように設計された、請求項１０から１２のいずれか一項に記載のシステム（１０）。
【請求項１４】
前記試験体（１６、３１６、４１６）が、テザー（３０）によって前記筐体（１２）に連結された、請求項１から１３のいずれか一項に記載のシステム（１０）。
【発明の詳細な説明】
【技術分野】
【０００１】
本発明は、香水を試験するためのシステムに関する。
【０００２】
より詳細には、本発明は、
-  開口を有する筐体と、
-  開口を通って筐体の中に少なくとも部分的に挿入されるように設計された試験体(test body)であって、香水で含浸され得る材料から少なくとも部分的に作製される、試験体と、
-  筐体の内側に配置され、試験体が筐体の中に挿入されたときに、香水を試験体の上に供給する(dispense)ように設計された香水供給デバイス(perfume-dispensing device)と、を備える、香水を試験するためのシステムに関する。
【背景技術】
【０００３】
このタイプのシステムは、特許文献１から周知されており、この文献では、香水供給デバイスは、試験体の上に香水を噴霧するためのポンプと、ノズルとが設けられた容器を備える。
【０００４】
しかしながら、このシステムは、多くの相互に協働する部品を含む、複雑な機構を使用する。
【０００５】
同じ欠点を有する同様のシステムが、特許文献２に記載されている。このシステムは、モータ、電源、ならびに、筐体の中の試験体を検出するためにマイクロプロセッサおよび赤外線トランシーバを含む包括的な電子的検出回路など、電気的構成要素の存在をさらに必要とする。
【先行技術文献】
【特許文献】
【０００６】
【特許文献１】欧州特許出願公開第１１７２３０５号明細書
【特許文献２】仏国特許出願公開第２９８７７６１号明細書
【発明の概要】
【発明が解決しようとする課題】
【０００７】
本発明の目的は、容易に楽しく使え、製造が容易で安価である、香水を試験するためのシステムを提供することである。
【課題を解決するための手段】
【０００８】
この目的のため、本発明は、前述したタイプの香水を試験するためのシステムにおいて、香水供給デバイスが、試験体が筐体の中に挿入されたときに接触するように試験体が設計されている、少なくとも1つの香水含浸体(perfume-impregnating body)を備え、香水含浸体が、香水が込められ、香水含浸体が試験体と接触したときに、試験体に香水を含浸させるように設計されることを特徴とする、システムに関連する。
【０００９】
これらの構成により、製造が容易で安価であり、簡単に楽しく使える、香水試験システムを設計することが可能になる。
【００１０】
本発明によるシステムの様々な実施形態において、以下の追加的な構成の1つまたは複数が有利に使用され得る。
-  前記香水で含浸され得る材料は、セラミック、ポレックス（Porex)(登録商標)、セルロース、および石膏から選択される多孔性材料である。
-  試験体は、長手方向軸に沿って延在する把持部分と、把持部分の軸方向延長部分に配置され、把持部分から径方向に突出する端部部分とを備える。
-  試験体は、長手方向軸に沿って延在する把持部分と、把持部分の軸方向延長部分に配置された端部部分とを備え、端部部分は、前記香水で含浸され得る材料から作製され、把持部分は、香水に対して不透過性である材料から作製される。
-  香水供給デバイスは、固体の付香要素(perfumed element)の形態の複数の香水含浸体を備える。
-  付香要素は、細粒、チップ、ビーズ、またはカプセルの形態である。
-  付香要素は、プラスチック、ミネラル塩、ワックス、石鹸、またはゲルから作製される。
-  香水供給デバイスは、付香要素を含む香水チャージャを備える。
-  香水供給デバイスは、液体の形態の香水を含むように設計され、香水含浸体によって封止される穴が設けられた香水チャージャを備え、香水含浸体は、自由回転するように香水チャージャに取り付けられる。
-  香水供給デバイスは、液体の形態の香水を含むように設計された香水チャージャを備え、香水含浸体は、香水チャージャに固定的に取り付けられ、香水で含浸されるように設計される。
-  香水供給デバイスは、液体の形態の香水を含むように設計された香水チャージャと、自由回転するように香水チャージャに取り付けられ、香水で含浸されるように設計された2つの香水含浸体とを備える。
-  香水含浸体は、発泡体、Porex(登録商標)、セルロース、またはセラミックから作製される。
-  システムは、香水チャージャと香水含浸体との間に配置された芯をさらに備え、芯は、香水を吸い込み、香水含浸体に香水を含浸させるように設計される。
-  試験体は、テザーによって筐体に連結される。
【００１１】
本発明は、添付の図面を参照しつつ単に非限定的な例として提供される、以下の複数の実施形態の記載を読解することによって、より理解されるであろう。
【図面の簡単な説明】
【００１２】
【図１】本発明の第1の実施形態による香水を試験するためのシステムの概略斜視図である。
【図２】本発明の第1の実施形態による香水を試験するためのシステムの概略斜視図である。
【図３】本発明の第2の実施形態による香水を試験するためのシステムの概略斜視図である。
【図４】本発明の第3の実施形態による香水を試験するためのシステムの概略斜視図である。
【図５Ａ】図4のシステムの第1の変形実施形態の概略長手方向垂直断面図である。
【図５Ｂ】図4のシステムの第1の変形実施形態の概略長手方向垂直断面図である。
【図５Ｃ】図4のシステムの第1の変形実施形態の概略長手方向垂直断面図である。
【図６】図4のシステムの第2の変形実施形態の概略長手方向垂直断面図である。
【図７】本発明の第4の実施形態による香水を試験するためのシステムの概略斜視図である。
【発明を実施するための形態】
【００１３】
様々な図において、同じ参照符号は、同一または類似の要素を示す。
【００１４】
図1は、本発明の第1の実施形態による香水を試験するためのシステム10を図示する。
【００１５】
システム10は、開口14を有する筐体12と、開口14を通って筐体12の中に少なくとも部分的に挿入されるように設計された試験体16と、筐体12の内側に配置され、試験体16が筐体12の中に挿入されたときに、香水を試験体16の上に供給するように設計された香水供給デバイス18とを備える。
【００１６】
筐体12は、記載される異なる実施形態において立方体の形態である。代替として、筐体12は、任意の適する形状、例えば、れんが、円筒、円錐などの形状を有することができる。
【００１７】
筐体12は、任意の適する材料、例えば、ガラス、プラスチックなどから作製され得る。
【００１８】
有利には、筐体12は、透明または半透明とすることができ、使用者が、筐体12の中身を見ることを可能にする。
【００１９】
開口14が、筐体12の側面20の1つに設けられる。代替として、開口14は、筐体12の上面22に設けられてもよい。
【００２０】
開口14は、記載される異なる実施形態において長方形の形状を有する。代替として、開口14は、任意の適する形状、例えば、正方形、円形、三角形などを有してもよい。
【００２１】
この第1の実施形態では、香水供給デバイス18は、香水チャージャ24と、香水チャージャ24内に含まれた複数の香水含浸体26(図2)とを備える。
【００２２】
香水チャージャ24は、筐体12の形状と同一の形状を有し、寸法は、筐体12の寸法よりわずかに小さく、開口28は、筐体12の開口14に対応して位置する。代替として、香水チャージャ24は、れんが、円筒、円錐などの任意の適する形状を有してもよい。
【００２３】
香水含浸体26は、香水が込められ、試験体16が筐体12の中に挿入されたときに試験体16と接触することにより、試験体16に香水を含浸させるように設計される。
【００２４】
図2を参照すると、香水含浸体26は、香水チャージャ24の内側に配置された多くの結合が弱い(loose)固体の付香要素の形態である。
【００２５】
好ましくは、付香要素26は、試験体16を香水チャージャ24の中へ挿入すること、および、そこから取り外すことを容易にするためだけでなく、香水チャージャ24を振って付香要素26を混ぜることを可能にするために、香水チャージャ24を完全には満たさない。
【００２６】
代替として、香水供給デバイス18は、香水チャージャ24を備えなくてもよい。この場合、付香要素26は、筐体12の中に直接配置される、結合が弱い要素である。
【００２７】
付香要素26は、任意の適する形態、例えば、細粒、チップ、ビーズ、カプセルなどの形態に作製され得る。
【００２８】
付香要素26は、
-  プラスチック材料、例えば、香水濃縮物での含浸により香りが付けられたプラスチック(Pebax(登録商標)、Torrex(登録商標)、エチレン酢酸ビニルEVAなど)、または、香りが付けられた発泡プラスチック(EVAなど)、
-  香りが付けられたバスソルトなどのミネラル塩、
-  香りが付けられたワックス、
-  石鹸、
-  香りが付けられたゲル、
-  その他
から作製され得る。
【００２９】
例えば、付香要素26は、約3から4mmの平均直径を有するPebax(登録商標)の細粒とすることができる。
【００３０】
試験体16は、長手方向軸Xに沿って延在する剛性部材であり、筐体12の中に開口14を通って少なくとも部分的に挿入され、そうすることで付香要素26と接触するように設計される。
【００３１】
そうするために、試験体16は、開口14の形状に対し補完的な断面を有し、ここに記載される例においては長方形である。
【００３２】
試験体16は、香水による含浸用に設計された材料から少なくとも部分的に(本例では全体的に)作製される。
【００３３】
例えば、試験体16は、セラミック、Porex(登録商標)、セルロース、石膏などから選択される多孔性材料、より一般的には、液体または気体状態の臭気分子を吸収するように設計された任意の材料から作製され得る。
【００３４】
試験体16が盗難にあう、紛失する、または、システム10が床(ground)から高い位置にあるときに床に落ちることを防止するために、試験体16は、例えば、コード、鎖、または革バンドなどのテザー30によって筐体12に連結される。
【００３５】
システム10は、以下のように動作する。
【００３６】
最初に、試験体16が、それぞれの開口14、28を通って筐体12および香水チャージャ24の中に挿入され(図2)、この位置に残される。
【００３７】
試験体16は、こうして付香要素26と接触し、試験デバイス16に香水を含浸させる。
【００３８】
使用者が香水の香りを嗅ぎ(smell)たいとき、使用者は、香水チャージャ24および筐体12から試験体16を抜き取り、試験体16に含浸した香水の香りを嗅ぐ。
【００３９】
終了すると使用者は、試験体16を筐体12および香水チャージャ24に戻し、付香要素26と接触させる。
【００４０】
操作者は定期的に、付香要素26を混ぜて香水による試験体16の最適な含浸を得るために、例えば1日1度、筐体12を開け、香水チャージャ24を、それを振るために取り出すことができる。
【００４１】
代替として、操作者は、筐体12を直接振ってもよい。
【００４２】
一定期間後に、例えば1週間後に、操作者は、同一の香水チャージャで、または、異なる芳香の付香要素を含む香水チャージャで、香水チャージャ24を置き換えることができる。
【００４３】
システム10が香水チャージャ24を備えない場合、筐体12内に含まれた付香要素26を直接交換することがもちろん可能である。
【００４４】
試験体16も、同一の試験体によって置き換えられ得る。
【００４５】
図3は、本発明の第2の実施形態による香水を試験するためのシステム10を図示する。
【００４６】
この第2の実施形態は、図1および図2の第1の実施形態とは香水供給デバイス118が異なる。
【００４７】
香水供給デバイス118は、香水チャージャ124と、自由回転するように香水チャージャ124に取り付けられた香水含浸体126とを備える。
【００４８】
香水チャージャ124は、液体の形態、例えば、オイルまたはアルコール溶液の形態の香水を含むように設計される。
【００４９】
香水チャージャ124は、例えば、れんが形状を有する。代替として、香水チャージャ124は、任意の適する形状、例えば、立方体、円筒などを有することができる。
【００５０】
香水チャージャ124は、その上面132によって筐体12の上面22の内面に固定される。
【００５１】
香水チャージャ124の下面134には、香水含浸体126によって封止される穴136が設けられる。
【００５２】
この例では、穴136は円形であり、香水含浸体126はボールによって形成される。
【００５３】
システム10は、以下のように動作する。
【００５４】
最初に、試験体16が、開口14を通って筐体12の中に挿入され、ボール126と接触したまま残される。
【００５５】
使用者が香水の香りを嗅ぎたいとき、使用者は、筐体12から試験体16を抜き取り、ボール126を所定の場所において回転させる。ボール126は、そのとき、例えばその表面上に香水が込められ、したがって、試験体16上に香水を置く。
【００５６】
使用者は次いで、試験体16に含浸している香水の香りを嗅ぎ、終了すると使用者は、試験体16を筐体12に戻し、ボール126と接触させる。
【００５７】
香水チャージャ124が空のときに、操作者は、筐体12を開け、同一の香水供給デバイスで、または、香水チャージャが異なる香水を含む、香水供給デバイスで、香水供給デバイス118を置き換えることができる。
【００５８】
この第2の実施形態によってもたらされる1つの利点は、使用者が、香水のベースノート(base note)、ハートノート(heart note)、ヘッドノート(head note)の香りを嗅ぐことを可能にすることである。ベースノートおよびハートノートは、試験体の先行する挿入/抜き取りにより得られ、ヘッドノートは、試験体の最後の抜き取りによって得られる。
【００５９】
図4は、本発明の第3の実施形態による香水を試験するためのシステム10を図示する。
【００６０】
この第3の実施形態は、図3の第2の実施形態とは香水供給デバイス218が異なる。
【００６１】
香水供給デバイス218は、香水チャージャ224と、香水含浸体226とを備える。
【００６２】
香水チャージャ224は、液体の形態、例えば、オイルまたはアルコール溶液の形態の香水を含むように設計される。
【００６３】
香水チャージャ224は、筐体12の底部に配置され、例えば円筒形状を有する。代替として、香水チャージャ224は、任意の適する形状、例えば、立方体、れんがなどの形状を有することができる。
【００６４】
香水含浸体226は、香水チャージャ224に固定的に取り付けられ、香水チャージャ224内に含まれた香水で含浸されるように設計される。
【００６５】
そうするために、香水含浸体226は、例えば、発泡体、Porex(登録商標)、セルロース、セラミックなどから、より一般的には、液体臭気分子に対して透過性である任意の材料から作製され得る。
【００６６】
有利には、香水チャージャ224内に含まれる香水を吸収し、香水含浸体226に香水を含浸させるために、香水チャージャ224と香水含浸体226との間に芯238が提供され得る。
【００６７】
システム10は、以下のように動作する。
【００６８】
最初に、試験体16が、開口14を通って筐体12の中に挿入され、香水含浸体226と接触したまま残され、試験体16に香水を含浸させる。
【００６９】
使用者が香水の香りを嗅ぎたいとき、使用者は、筐体12から試験体16を抜き取り、試験体16に香水を新たに含浸させる。
【００７０】
次いで使用者は、試験体16によって吸収された香水の香りを嗅ぎ、それから、試験体16を筐体12に戻し、香水含浸体226と接触させる。
【００７１】
香水チャージャ224が空のときに、操作者は、筐体12を開け、同一の香水供給デバイスによって、または、香水チャージャが異なる香水を含む、香水供給デバイスによって、香水供給デバイス218を置き換えることができる。
【００７２】
この第3の実施形態も、使用者が、香水のベースノート、ハートノート、およびヘッドノートを得ることを可能にする。
【００７３】
この第3の実施形態の第1の変形例が、図5Aから図5Cに図示されている。
【００７４】
この第1の変形例は、図4の第3の実施形態とは試験体316が異なり、長手方向軸Xに沿って延在する把持部分340と、把持部分340の軸方向延長部分に配置され、把持部分340から径方向に突出する端部部分342とを備える。
【００７５】
システム10は、以下のように動作する。
【００７６】
最初に、試験体316が、開口14を通って筐体12の中に挿入され、把持部分340が香水含浸体226に隣接するが、香水が込められた香水含浸体226とは接触しないで配置されるような位置に、残される(図5A)。
【００７７】
使用者が香水の香りを嗅ぎたいとき、使用者は、筐体12から試験体316を抜き取る(図5B)。
【００７８】
この抜き取り中に、端部部分342は、香水含浸体226と接触し、したがって、香水で含浸される(図5C)。
【００７９】
次いで使用者は、端部部分342に含浸している香水の香りを嗅ぎ、それから、試験体316を筐体12に戻し、把持部分340は、香水含浸体226に再び隣接するが接触はしない。
【００８０】
例えば1週間後に、試験体316は、同一の試験体で、または、図1から図4の試験体16によって置き換えられ得る。
【００８１】
この実施形態も、使用者が、香水のベースノート、ハートノート、およびヘッドノートを得ることを可能にする。
【００８２】
この実施形態によってもたらされる別の利点は、システムが使用されていないときに、試験体が香水で不必要に含浸されず、香水チャージャも、香水が不必要に空にならないことにある。システムは、したがって、より長い使用寿命を有する。
【００８３】
使用者が香水のベースノート、ハートノート、およびヘッドノートを得ること、また、システムの使用寿命を伸ばすことをやはり可能にする、この第3の実施形態の第2の変形例では、試験体316は、図6の試験体416によって置き換えられ得る。
【００８４】
試験体416は、長手方向軸Xに沿って延在する把持部分440と、把持部分440の軸方向延長部分に配置された端部部分442とを備える。
【００８５】
端部部分442は、他の実施形態と同一の様式で香水を吸収するように設計された材料から作製されるが、把持部分440は、香水に対して不透過性の材料、特に非多孔性材料から作製される。
【００８６】
システム10は、以下のように動作する。
【００８７】
最初に、試験体416が、開口14を通って筐体12の中に挿入され、把持部分440が香水含浸体226に隣接し、香水が込められた香水含浸体226と接触して配置されるような位置に、残される。
【００８８】
把持部分440は香水に対して不透過性であるので、それは、香水で含浸されない。
【００８９】
使用者が香水の香りを嗅ぎたいとき、使用者は、筐体12から試験体416を抜き取る。
【００９０】
この抜き取り中に、端部部分442は、香水含浸体226と接触し、したがって、香水で含浸される。
【００９１】
次いで使用者は、端部部分442に含浸している香水の香りを嗅ぎ、それから、試験体416を筐体12に戻し、把持部分440は、再び香水含浸体226に隣接し接触する。
【００９２】
例えば1週間後に、試験体416は、同一の試験体で、または、図1から図5の試験体16、316で置き換えられ得る。
【００９３】
図7は、本発明の第4の実施形態による香水を試験するためのシステム10を図示する。
【００９４】
この第4の実施形態は、図4の第3の実施形態とは香水供給デバイス518が異なる。
【００９５】
香水供給デバイス518は、香水チャージャ524と、2つの香水含浸体526とを備える。
【００９６】
香水チャージャ524は、例えば、オイルまたはアルコール溶液の形態の液体の香水を含むように設計される。
【００９７】
香水チャージャ524は、筐体12の底部に配置され、例えば円筒形状を有する。代替として、香水チャージャ524は、立方体、れんがなどの任意の適する形状を有することができる。
【００９８】
香水含浸体526は、自由回転するように香水チャージャ524に取り付けられ、香水チャージャ524内に含まれた香水で含浸されるように設計される。
【００９９】
そうするために、香水含浸体526は、例えば、発泡体、Porex(登録商標)、セルロース、セラミックなどから、より一般的には、液体臭気分子に対して透過性である任意の材料から作製される。
【０１００】
有利には、香水含浸体526に香水を含浸させることを容易にするために、香水チャージャ524と香水含浸体526との間に芯538が提供され得る。
【０１０１】
システム10は、以下のように動作する。
【０１０２】
最初に、試験体16が、開口14を通って筐体12の中に挿入され、香水が込められた香水含浸体526と接触してその間にとどまり、こうして、試験体16に香水を含浸させる。
【０１０３】
使用者が香水の香りを嗅ぎたいとき、使用者は、筐体12から試験体16を抜き取り、それにより、香水含浸体526を反対の回転方向に自転させ、もう一度試験体16に香水を含浸させる。
【０１０４】
次いで使用者は、試験体16に含浸している香水の香りを嗅ぎ、それから、試験体16を筐体12に戻し、香水含浸体526と接触させる。
【０１０５】
香水チャージャ524が空のときに、操作者は、筐体12を開け、同一の香水供給デバイスによって、または、香水チャージャが異なる香水を含む、香水供給デバイスによって、香水供給デバイス518を置き換えることができる。
【０１０６】
この第4の実施形態も、使用者が、香水のベースノート、ハートノート、およびヘッドノートを得ることを可能にする。
【０１０７】
本発明は、したがって、製造が容易で安価であり、容易に楽しく使える、香水を試験するためのシステムを提供する。
【０１０８】
加えて、試験体上への香水の分配が、噴霧によってではなく、香水含浸体との接触によって達成されるので、本発明によるシステムは、試験体上以外の場所に香水の小滴が噴霧されることを防止し、したがって、香水の浪費および筐体上が汚れることを低減する。
【０１０９】
さらに、香水チャージャの存在は、香水がなくなったとき、または、試験される香水を操作者が変更したいときに、香水供給デバイスの交換を容易にする。
【０１１０】
また、本発明によるシステムは、試験体を、長い期間、例えば夜通し筐体の内側に残すことを可能にし、通常は従来の試験器で得られるのはヘッドノートのみであるが、使用者が、ヘッドノートに加え香水のベースノートおよびハートノートを入手することを可能にする。
【０１１１】
本発明によるシステムは、例えば、透明または半透明の筐体を備える審美的なものとすることもできる。
【符号の説明】
【０１１２】
10  システム
12  筐体
14  開口
16  試験体
18  香水供給デバイス
24  香水チャージャ
26  香水含浸体、付香要素
28  開口
30  テザー
118  香水供給デバイス
124  香水チャージャ
126  香水含浸体、ボール
136  穴
218  香水供給デバイス
224  香水チャージャ
226  香水含浸体
238  芯
316  試験体
340  把持部分
342  端部部分
416  試験体
440  把持部分
442  端部部分
518  香水供給デバイス
524  香水チャージャ
526  香水含浸体
538  芯
【図１】
0006671341.tif 000002
【図２】
0006671341.tif 000003
【図３】
0006671341.tif 000004
【図４】
0006671341.tif 000005
【図５Ａ】
0006671341.tif 000006
【図５Ｂ】
0006671341.tif 000007
【図５Ｃ】
0006671341.tif 000008
【図６】
0006671341.tif 000009
【図７】
0006671341.tif 000010